(57)【要約】      （修正有）【課題】回転駆動時においても切削工具を確実に把持することができて、切削工具の空回りを確実に防止することができる医療用ハンドピースを提供する。【解決手段】刃等の切削作業部がシャンクの先端に設けられた切削工具２８と、切削工具のシャンク２８ａを着脱可能に保持すると共に駆動源から伝達された動力により回転駆動される主軸と、主軸を回転可能に支承する軸受部材と、切削工具と主軸と軸受部材とを内部に収容するケーシングとを備え、切削工具のシャンクと主軸とが相対的に空回りしないように、両部材の対向位置には相互に係合する係合部２８ｂ，２４ｂがそれぞれ設けられた。【選択図】      図３
2005007047.tif 000002
【特許請求の範囲】
【請求項１】
骨または歯牙を切削するための刃等の切削作業部がシャンクの先端に設けられた切削工具と、該切削工具のシャンクを着脱可能に保持すると共に駆動源から伝達された動力により回転駆動される主軸と、前記主軸を回転可能に支承する軸受部材と、前記切削工具と前記主軸と前記軸受部材とを内部に収容するケーシングとを備え、
前記切削工具のシャンクと前記主軸とが相対的に空回りしないように、両部材の対向位置には相互に係合する係合部がそれぞれ設けられたことを特徴とする医療用ハンドピース。
【請求項２】
前記係合部として、シャンクの後端外周面が多角状に形成されるか、あるいはシャンクの後端外周面に半月状の切欠きが形成され、一方、前記主軸にはシャンクの係合部と相補な形状の受け部が設けられたことを特徴とする請求項１に記載の医療用ハンドピース。
【請求項３】
前記主軸には、前記切削工具のシャンクを挿着するための孔が軸方向に形成され、該孔には、すり割りが形成されたコレットと、該コレットを縮径させるように押圧するコレット押圧部材とが挿着され、該コレット押圧部材には前記シャンクの後端を挿着するための孔が軸方向に形成され、該コレット押圧部材の孔に、前記シャンクの係合部に相補な形状の受け部が設けられたことを特徴とする請求項１に記載の医療用ハンドピース。
【発明の詳細な説明】
【０００１】
【発明の属する技術分野】
本発明は、駆動源からの動力を伝達して回転駆動させた切削工具で骨または歯牙を切削する医療用ハンドピースに関する。
【０００２】
【従来の技術】
骨または歯牙を切削する医療用のハンドピースは従来から使用されている。医療用ハンドピースは、一般的に、切削工具が主軸に着脱可能に取り付けられ、主軸はモータなどの駆動源からの動力で回転駆動され、これにより回転駆動させた切削工具で骨または歯牙を切削するものである。
【０００３】
以上のような医療用のハンドピースにおいて、切削工具は比較的高速で回転駆動される一方で、切削時に切削工具に作用するトルクは比較的小さく、そのため主軸に着脱可能に取り付けられた切削工具は、回転駆動時にも確実に把持された状態が維持され、空回りなどの問題は生じていない。しかしながら、今後、医療用ハンドピースの使用範囲が拡大し、多様な施術で用いられた場合には、比較的大きなトルクが切削工具に作用する可能性も否めない。
【０００４】
【発明が解決しようとする課題】
したがって、本発明の課題は、上記のような可能性に対応するため、回転駆動時においても切削工具を確実に把持することができて、切削工具の空回りを確実に防止することができる医療用ハンドピースを提供することである。
【０００５】
【課題を解決するための手段】
本発明では、骨または歯牙を切削するための刃等の切削作業部がシャンクの先端に設けられた切削工具と、該切削工具のシャンクを着脱可能に保持すると共に駆動源から伝達された動力により回転駆動される主軸と、前記主軸を回転可能に支承する軸受部材と、前記切削工具と前記主軸と前記軸受部材とを内部に収容するケーシングとを備え、前記切削工具のシャンクと前記主軸とが相対的に空回りしないように、両部材の対向位置には相互に係合する係合部がそれぞれ設けられたことを特徴とする医療用ハンドピースが提供される。
上記医療用ハンドピースでは、切削工具のシャンクと主軸との係合部同士が相互に係合し、これにより、比較的大きなトルクが切削工具に作用しても、シャンクと主軸とに相対的な空回りが生じることを防止できる。
【０００６】
【発明の実施の形態】
以下、本発明の一実施の形態を図１乃至５に基づいて説明する。
図１乃至図３に示したように、医療用ハンドピース１０は、刃等の切削作業部がシャンク２８ａの先端に設けられた切削工具２８と、切削工具２８のシャンク２８ａを着脱可能に保持すると共に駆動源から伝達された動力により回転駆動される主軸２０と、主軸２０を回転自在に支承する軸受部材１５ａ，１５ｂと、切削工具２８と主軸２０と軸受部材１５ａ，１５ｂとを内部に収容するケーシング１１，１３とを備え、切削工具２８のシャンク２８ａと主軸２０には相互に係合する係合部２８ｂ，２４ｂが設けられている。
【０００７】
ここで、図３に示した切削工具２８は、骨または歯牙を切削するための刃等の切削作業部（図示せず）がシャンク２８ａの先端に設けられ、後端に係合部２８ｂが形成されている。図３における係合部２８ｂは、シャンク２８ａの後端周面を八角状に削り落して形成したものであるが、シャンク後端の係合部は、この形状に限定されるものではなく、例えば、三角や四角等の多角状に形成することも可能であり、さらには、図４の係合部３８ｂのように半月状の切欠きにすることも可能である。
【０００８】
主軸２０は、図２に示したように、先端から後方に向けて軸方向に延びる孔２１ｂが形成され、後端にモータユニット等を接続するための接続部２１ｃが設けられた第１のシャフト２１と、この孔２１ｂの内部に挿着されるコレット２３とコレット押圧部材２４とバネ１９と、第１のシャフト２１の先端に螺合された第２のシャフト２２とを備えている。
コレット２３は、切削工具２８のシャンク２８ａを挿通させるための貫通孔２３ｅを有し、前後端にテーパ２３ｂ，２３ｃが形成され、すり割り２３ａ，２３ｄが前端と後端からそれぞれ途中まで延設されている。またコレット押圧部材２４は管状に形成された部材であって、切削工具２８のシャンク後端を挿入するための貫通孔２４ｅを有し、コレット２３を後方から押圧して縮径させるため前端内周にテーパ２４ａが設けられ、切削工具２８の係合部２８ｂに係合するように相補な形状の受け部２４ｂが内周に形成され、ピン２６を挿着させるためのピン孔２４ｃが形成されている。ピン２６の両端は、第１のシャフト２１に形成された長孔２１ａから外側に突出し、スライドリング１７の内周溝１７ａに係合するものである。また第２のシャフト２２の後端内周にはテーパ２２ａが形成されており、このテーパ２２ａは、コレット２３の前端テーパ２３ｂと逆向きのものである。
上記主軸２０において、コレット押圧部材２４とコレット２３とは、第１のシャフト２１の孔２１ｂの内部で摺動可能に設けられており、コレット押圧部材２４がバネ１９により常に矢印Ｂ方向に付勢されているため、コレット押圧部材２４のテーパ２４ａがコレット２３の後端テーパ２３ｃに当接し、コレット２３を前方に押し、一方、コレット２３の前端テーパ２３ｂには、第２のシャフト２２のテーパ２２ａが当接して反力を与えられ、このように前後から押圧されてコレット２３は弾性変形して縮径している。
【０００９】
上記主軸２０の外周には、スライドリング１７が摺動可能に環装され、スライドリング１７の外周には管状体１６が環装され、さらに、管状体１６の外周にチャック開閉リング１２が環装されている。チャック開閉リング１２の内周には縦溝が施されており、内周から突出する連結ネジ１８が縦溝内に嵌合されており、この連結ネジ１８が挿通されるガイド溝１６ａが管状体１６に穿設され、連結ネジ１８の先端が嵌る孔１７ｂがスライドリング１７に設けられている。スライドリング１７の前方にはバネ２０が設けられ、このバネ２０により、スライドリング１７は図２の矢印Ａ方向に常に付勢されている。
ガイド溝１６ａは、図１において一点鎖線で示したように若干斜めに形成されているため、医療用ハンドピース１０の前方を後方から見た右回りに、チャック開閉リング１２を回転させると、連結ネジ１８はガイド溝１６ａに導かれて、スライドリング１７は若干後方に移動する。これにより、スライドリング１７の内周溝１７ａがピン２６を後方に押し、コレット押圧部材２４も後方に移動するため、コレット２３の縮径状態が緩められて、コレット２３に把持された切削工具２８のシャンク２８ａは外すことが可能になる。
【００１０】
切削工具のシャンクと主軸との係合部について、図３及び図４を参照して説明する。図３において、切削工具２８のシャンク２８ａでは、後端周面を八角状に削り落して係合部２８ｂを形成し、主軸側の係合部２４ｂは、コレット押圧部材２４の貫通孔２４の内周面を、シャンク２８ａの係合部２８ｂが嵌るような八角状にすることにより形成する。また図４は、図３とは異なる形状の係合部を示すものであり、切削工具３８のシャンク３８ａは、後端周面を半月状に削り落して係合部３８ｂを形成し、主軸側の係合部２４ｂは、コレット押圧部材２４の貫通孔２４の内周面を、シャンク３８ａの半月状の係合部３８ｂが嵌るような孔とすることにより形成する。
【００１１】
【発明の効果】
本発明の医療用ハンドピースでは、切削工具のシャンクと主軸の対向位置に相互に係合する係合部をそれぞれ設けたので、これらの係合部同士が相互に係合し、回転駆動時に比較的大きなトルクが切削工具に作用したとしても、切削工具を確実に把持することができて、切削工具の空回りを確実に防止することができる。
【図面の簡単な説明】
【図１】本発明の医療用ハンドピースの断面図である。
【図２】図１の医療用ハンドピースにおける主軸と他の構成を示す断面図である。
【図３】図１の医療用ハンドピースにおける切削工具のシャンクと主軸とに設けられた係合部示す斜視図である。
【図４】図３とは異なる形状の係合部を示す斜視図である。
【符号の説明】
１０  医療用ハンドピース
１１，１３  ケーシング
１５ａ，１５ｂ  軸受部材
２０  主軸
２４ｂ  係合部
２８  切削工具
２８ａ  シャンク
２８ｂ  係合部
【図１】
2005007047.tif 000003
【図２】
2005007047.tif 000004
【図３】
2005007047.tif 000005
【図４】
2005007047.tif 000006